(57)【要約】【課題】視界を遮らず、かつ高い遮熱効果を発揮する通気性遮熱シェードを提供する。【解決手段】高密度ポリエチレンの連続極細長繊維からなる不織布４に多数の通気孔５を所定のピッチで穿設し、この不織布４を遮熱体１とした。優れた遮熱性を有する不織布４を遮熱体１として用いることにより、窓に掛ければ室内の温度上昇を抑えることができ、窓を閉めた場合には冷房効果を高めることができる。また窓を開けた場合には、通気孔５により風通しもよくなる。さらに簾と同様に、屋外から屋内は見えず、屋内から屋外を見ることができる。【選択図】図１
0003170114.tif 000002
【実用新案登録請求の範囲】
【請求項１】
高密度ポリエチレンの連続極細長繊維からなる不織布に多数の通気孔を所定のピッチで穿設したシートを遮熱体としたことを特徴とする通気性遮熱シェード。
【請求項２】
前記不織布は、フラッシュ紡糸法によって製造された、繊維径が０.５〜１０μｍのものであることを特徴とする請求項１に記載の通気性遮熱シェード。
【請求項３】
通気孔の直径を１ｍｍ〜１．５ｍｍとし、通気孔のピッチを８ｍｍ〜１２ｍｍとしたことを特徴とする請求項１または２記載の通気性遮熱シェード。
【請求項４】
遮熱体の上端と下端に、それぞれ支持棒を取り付けたことを特徴とする請求項１〜３のいずれかに記載の通気性遮熱シェード。
【請求項５】
遮熱体の上端に、遮熱体をカーテンレールに吊り下げるための吊下げ部を形成したことを特徴とする請求項１〜３のいずれかに記載の通気性遮熱シェード。
【考案の詳細な説明】
【技術分野】
【０００１】
本考案は、建物の窓の外側に簾のように垂らしたり、窓の内側にカーテンとして掛けたりすることにより、太陽からの熱線(赤外線）が室内に侵入することを効果的に防止できる通気性遮熱シェードに関するものである。
【背景技術】
【０００２】
近年、地球温暖化の影響によりヒートアイランド現象が深刻化し、夏日には室内でも熱中症を発症する事態が生じている。その上、今般の東日本大震災の影響を受け、今後電力供給が落ち込む事態が想定される。この状況下では、電力消費をできるだけ抑えながら猛暑を乗り切る必要がある。
【０００３】
そこで従来から、遮光用カーテン等の遮熱効果を有する製品が数多く登場している。例えば特許文献１には、金属薄膜が形成された合成樹脂フィルムを二枚の布地の間に挟んだ構成の遮光用カーテンが記載されている。このカーテンの遮光性及び遮熱性は金属薄膜の光反射によって実現されるが、金属薄膜は太陽光線の透過を遮蔽するので、室内が暗くなるとともに、カーテン越しの視界を遮ってしまうという問題があった。
【０００４】
また、この金属薄膜は太陽からの熱線の２０〜３０％程度を吸収する特性を持つので、それ自体が蓄熱して発熱体となる。このため遮光用カーテンから輻射熱が放出されることとなり、十分な遮熱効果を発揮できないという問題があった。
【先行技術文献】
【特許文献】
【０００５】
【特許文献１】特開平９−２５２９３１号公報
【考案の概要】
【考案が解決しようとする課題】
【０００６】
本考案の目的は前記した従来の問題を解決し、視界を遮らず、通気性を有し、かつ高い遮熱効果を発揮することができる通気性遮熱シェードを提供することである。
【課題を解決するための手段】
【０００７】
上記の課題を解決するためになされた本考案は、高密度ポリエチレンの連続極細長繊維からなる不織布に多数の通気孔を所定のピッチで穿設したシートを遮熱体としたことを特徴とするものである。なお、前記不織布は、フラッシュ紡糸法によって製造された、繊維径が０.５〜１０μｍのものであることが好ましい。さらに、通気孔の直径を１ｍｍ〜１．５ｍｍとし、通気孔のピッチを８ｍｍ〜１２ｍｍとすることが好ましい。
【０００８】
また、遮熱体の上端と下端に、それぞれ支持棒を取り付けた構造としたり、遮熱体の上端に、遮熱体をカーテンレールに吊り下げるための吊下げ部を形成した構造とすることが好ましい。
【考案の効果】
【０００９】
本考案に係る通気性遮熱シェードは、高密度ポリエチレンの連続極細長繊維からなる不織布に多数の通気孔を所定のピッチで穿設したシートを遮熱体としたものである。この不織布は光反射率が高くかつ蓄熱率が極めて低いので、優れた赤外線遮蔽効果を発揮するのみならず、紫外線遮蔽効果も発揮する。そのため、建築物の窓に簾やカーテンとして用いれば、日差しによる室内の温度上昇を防止でき、日焼けも防止することができる。また、通気孔によりシェード越しの視界を確保することができるとともに、風通しもよくなる。
【００１０】
特に上記通気孔の直径を１ｍｍ〜１．５ｍｍとし、その通気孔を８ｍｍ〜１２ｍｍのピッチで穿設すると、簾と同様に屋外から屋内は見えず、屋内から屋外を見ることができる目隠し効果を得ることができる。
【００１１】
さらに、上記遮熱体の上端に窓枠に支持するための支持棒を取り付け、かつ下端に遮熱体を地面に固定するための支持棒を取り付ければ、簡単に窓際に設置することができる。また、遮熱体の上端に遮熱体をカーテンレールに吊り下げるための吊下げ部を形成すれば、従来のカーテンに替えてこの遮熱シェードを取り付けることができるので、便利である。
【図面の簡単な説明】
【００１２】
【図１】本考案の第１実施形態の正面図である。
【図２】第１実施形態の背面上部拡大図である。
【図３】第１実施形態の左側面図である。
【図４】本考案の第２実施形態の正面図である。
【考案を実施するための形態】
【００１３】
以下に本考案の好ましい実施形態を示す。
図１は本考案の第１実施形態を示す正面図であり、１はシート状の遮熱体、２はこの遮熱体１の上端を窓枠に支持するための支持棒、３はこの遮熱体１の下端を地面や床面に固定するための支持棒である。遮熱体１は長方形の不織布４からなる。この不織布４は１００％高密度ポリエチレン製で、０．５〜１０μｍの連続性極細長繊維をフラッシュ紡糸法により高圧で紡糸した後、積層したうえ熱を加えて押圧処理してシート状としたものである。
【００１４】
この不織布４は、軽量で、遮熱性・紫外線遮蔽性に優れる。そのため、この不織布４をベランダなどの窓際に設置すると、不織布４に照射した輻射熱が反射されることにより、室内の温度上昇を抑えることができるとともに、室内への紫外線の侵入も阻止できる。具体的には、この不織布４は光反射率が９０％以上、吸収率が２％以下であってほとんど蓄熱しないので、遮熱性に優れる。これに対してアルミ蒸着フィルムの光反射率は８０％、アルミ練り込みフィルムの光反射率は５０％程度である。またアルミ蒸着フィルムの吸収率は２０％、アルミ練り込みフィルムの吸収率は５０％であって、本考案に用いられる不織布４の優位性が明らかである。なお、本考案に用いられる不織布４は、紫外線のＡ波（３２０〜４００ｎｍ）を９２．８％、Ｂ波（２８０〜３２０ｎｍ）を９４．２％遮蔽することができる。この紫外線遮蔽率は島津製作所製の紫外・可視・近赤外分光高度計ＵＶ−３６００に積分球付属装置ＩＳＲ−３１００を取り付けたものにより測定した値である。
【００１５】
このようにこの不織布４は遮熱性に優れたものであるが、そのまま遮熱体１として使用すると視界を確保することができず、風通しも悪くなる。そこで本考案では、不織布４の全面に通気孔５を穿設することにより、通気性を向上させるとともに、視界を確保した。特に通気孔５の直径を１ｍｍ〜１．５ｍｍとし、そのピッチを８ｍｍ〜１２ｍｍとすることが好ましい。通気孔５がこれより小径であったりピッチが大きすぎたりすると視界を確保しにくくなるとともに、通気性が不足する。逆に通気孔５がこれより大径であったりピッチが狭すぎたりすると通気性は向上するが、遮熱性が低くなるうえ、屋外から屋内が見えるようになるので好ましくない。
【００１６】
この実施形態では通気孔５を円形孔とし、上下の列が半ピッチずれるように穿孔したが、孔形状やその配列は必ずしもこれに限定されるものではない。また不織布４に穿孔するとともに、型押しにより凹凸模様を付けたり、プリントを施して美観を高めることも可能である。
【００１７】
このような通気孔５を形成した遮熱体１の遮熱特性を、赤外ランプ６０℃法により測定した。この方法は５４ｃｍ×５４ｃｍ×４５ｃｍのボックスの一面をガラス窓としてその内側に試験片を吊るし、５０ｃｍ離れた位置から赤外線ランプを６０分間照射し、試験装置の内部温度の変化を測定する方法である。試験片なしの場合には内部温度は２４．２℃上昇したが、通気孔５を形成した遮熱体１を吊るした場合には１４．０℃であった。なお通気孔のない不織布４を試験片とした場合の上昇温度は１２．７℃であって、通気孔５を形成したことによる遮熱特性の低下はわずかであった。
【００１８】
なお、図２と図３に示すように、遮熱体１の上下端には、支持棒２、３が挿入される筒状部６が形成されている。本実施形態では、遮熱体１の上下端をそれぞれ三つ折り縫いして筒状部６を形成し、この筒状部６，６の上下２箇所（全４箇所）にクリップ７を嵌める。その後、支持棒２、棒３を筒状部６に挿入する。このクリップ７の頭部には正面視逆Ｕ字状のフック８が形成されているので、例えば図１のように、このフック８を利用して鴨居や窓枠の上部に取り付け、下端側のクリップ７に重りとなる紐付きブロック９を取り付けて、遮熱体１を簡単に設置することができる。
【００１９】
次に、図４に示す第２実施形態について説明する。第２実施形態の通気性遮熱シェードは、カーテンレール１０に取り付けて用いられるものである。図４において、１は遮熱体、５は不織布４に穿設された通気孔、１１はカーテンレール１０に遮熱体１を吊下げるためのカーテンフックである。この遮熱体１の裏面上端にはカーテンフック１１を差し込むための吊下げ部１２が形成されている。図示しないが、本実施形態では、遮熱体１の裏面上端に二重の補強テープ１３を帯状に縫い付け、補強テープ１３の下端にカーテンフック１１の差し込み穴１４を５ｃｍ間隔で形成して、吊下げ部１２としている。カーテンフック１１の一端を補強テープ１３の下端に差し込み、他端をカーテンレール１０に取り付ければ、既存のカーテンと同様の使い勝手で、窓越しの輻射熱や紫外線を遮ることができる。特に、クーラー等の冷房機器と併用した場合には、冷房機器による冷却効果と相まって効率的に室内を冷却することができるので、冷房機器の使用量を抑えることができ、節電に繋がる。
【００２０】
以上に説明したように、本考案に係る通気性遮熱シェードは、遮熱性・紫外線遮蔽性に優れた素材を遮熱体として活用することにより、簡単な構造で手軽に室内の温度上昇を抑えることができる。また、通気孔により視界及び風通しも確保される。さらに、クーラー等の冷房機器と併用すれば、電力消費を抑えながら快適な温度を維持することができる等の多くの利点を有する。
【符号の説明】
【００２１】
１  遮熱体
２  支持棒
３  支持棒
４  不織布
５  通気孔
６  筒状部
７  クリップ
８  フック
９  紐付きブロック
１０  カーテンレール
１１  カーテンフック
１２  吊下げ部
１３  補強テープ
１４  差し込み穴
【図１】
0003170114.tif 000003
【図２】
0003170114.tif 000004
【図３】
0003170114.tif 000005
【図４】
0003170114.tif 000006